(57)【要約】【課題】給水タンクの底部に設けられ、製氷容器に連なる給水孔を開閉する開閉弁と接離する弁座の密閉性能が損なわれないようにし、水漏れを防止した自動製氷機の給水装置を備えた冷蔵庫を提供する。【解決手段】合成ゴムのような弾性を有する部材、例えば、シリコンゴム等でできた弁受部２６の下端中央に突状をした突部２６ａを形成し、弁座１８の前記突部２６ａに対向する位置に、凹部１８ａを形成し、同凹部１８ａに前記突部２６ａを嵌入させ、前記弁座１８を、前記弁受部２６で覆うように配設している。また、前記弁受部２６の上端部２６ｃを、平面状または曲面状に形成している。【選択図】  図３
2004263950.tif 000002
【特許請求の範囲】
【請求項１】
庫内が仕切壁により上下に区画されて冷凍室と、冷蔵室と、野菜室等とが設けられ、前記冷蔵室に配置された自動製氷機の給水タンクを備えた給水装置から前記冷凍室に配置された製氷容器に給水を行うものにおいて、
前記給水タンクの底部に設けられた給水孔と、同給水孔の外側に立設された弁座とからなる弁座部と、前記弁座と接離して前記給水孔を開閉する開閉弁を備えた弁体とで構成され、
前記弁座を覆うように前記開閉弁を受ける弁受部を弾性体としてなることを特徴とする給水装置を備えた冷蔵庫。
【請求項２】
前記弁座部の外側に立設されるリブを形成してなることを特徴とする請求項１記載の給水装置を備えた冷蔵庫。
【請求項３】
前記弁受部の下端中央に突状をした突部を形成し、前記弁座の前記突部に対向する位置に、凹部を形成し、同凹部に前記突部を嵌入してなることを特徴とする請求項１記載の給水装置を備えた冷蔵庫。
【請求項４】
前記弁座の上端中央に突状をした突部を形成し、前記弁受部の前記突部に対向する位置に、凹部を形成し、同凹部を前記突部に嵌入してなることを特徴とする請求項１記載の給水装置を備えた冷蔵庫。
【請求項５】
前記弁受部の上端部を、平面状または曲面状に形成してなることを特徴とする請求項１記載の給水装置を備えた冷蔵庫。
【発明の詳細な説明】
【０００１】
【発明の属する技術分野】
本発明は、自動製氷機の給水装置を備えた冷蔵庫に係わり、より詳細には、給水タンクの底部に設けられ、製氷容器に連なる給水孔を開閉する開閉弁と接離する弁座の構造に関する。
【０００２】
【従来の技術】
従来の自動製氷機の給水装置を備えた冷蔵庫は、例えば図１（Ａ）で示すように、冷蔵庫本体１内が仕切壁２により上部の冷蔵室３と、中部の野菜室４と、下部の冷凍室５とに区画され、前記冷蔵室３に配置された自動製氷機の給水装置６から給水管７を経て前記冷凍室５に配置された製氷容器８に給水を行うようにしていた。
【０００３】
前記給水装置６が、図２（Ａ）および図２（Ｂ）と、図５（Ａ）および図５（Ｂ）とで示すように、上部に設けられた注水口９に通気孔１０を有する蓋体１１を着脱可能に被着した給水タンク１２と、同給水タンク１２の底部に設けられ、中央に保持孔１３を備えて逆略凹状に形成された保持部１４により上下動可能に保持されたロッド１５と、同ロッド１５に装着してこれを下方に付勢する付勢ばね１６と、前記保持部１４の周囲に設けられた給水孔１７と、同給水孔１７の外側に立設された円筒状の弁座１８とからなる弁座部１９と、底面中央部に前記ロッド１５に上下動可能に連結される連結孔２０を備え下部を開放して有底略円筒状に形成され、且つその下端周縁部に前記ロッド１５と連動することにより前記弁座１８と接離して前記給水孔１７を開閉する開閉弁２１を備えた合成ゴムのような弾性を有する部材でできた弁体２２と、同弁体２２を前記ロッド１５を介して駆動する駆動部２３とで構成されていた。
【０００４】
ところで、図５（Ｂ）に矢印で示す球Ｒ部のように、その基端部に対し外周縁となる先端部が高位となるように傾斜させた前記弁座１８と接離する前記開閉弁２１は略球面形状の一部をなすように形成されていることから（例えば、特許文献１参照）、前記弁座１８と前記開閉弁２１とに芯ずれが生じた場合や、これら弁座１８と前記開閉弁２１との間に小さな固形物が挟まった場合などに、該箇所の密閉性能が損なわれて水漏れが生じてしまうという問題がないようにしている。
【０００５】
しかしながら、髪の毛等の大きめの固形物が挟まると、前記開閉弁２１だけで固形物の大きさを吸収できず、該箇所の密閉性能が損なわれて水漏れが生じてしまうという恐れのある問題を有していた。
【０００６】
【特許文献１】
特開２００１−３１１５７４号公報（第３ー４頁、第３図）
【０００７】
【発明が解決しようとする課題】
本発明においては、上記の問題点に鑑み、給水タンクの底部に設けられ、製氷容器に連なる給水孔を開閉する開閉弁と接離する弁座の密閉性能が損なわれないようにし、水漏れを防止した自動製氷機の給水装置を備えた冷蔵庫を提供することを目的とする。
【０００８】
【課題を解決するための手段】
本発明は、上記問題点を解決するため、庫内が仕切壁により上下に区画されて冷凍室と、冷蔵室と、野菜室等とが設けられ、前記冷蔵室に配置された自動製氷機の給水タンクを備えた給水装置から前記冷凍室に配置された製氷容器に給水を行うものにおいて、
前記給水タンクの底部に設けられた給水孔と、同給水孔の外側に立設された弁座とからなる弁座部と、前記弁座と接離して前記給水孔を開閉する開閉弁を備えた弁体とで構成され、
前記弁座を覆うように前記開閉弁を受ける弁受部を弾性体とした構成となっている。
【０００９】
前記弁座部の外側に立設されるリブを形成してた構成となっている。
【００１０】
前記弁受部の下端中央に突状をした突部を形成し、前記弁座の前記突部に対向する位置に、凹部を形成し、同凹部に前記突部を嵌入した構成となっている。
【００１１】
前記弁座の上端中央に突状をした突部を形成し、前記弁受部の前記突部に対向する位置に、凹部を形成し、同凹部を前記突部に嵌入した構成となっている。
【００１２】
前記弁受部の上端部を、平面状または曲面状に形成した構成となっている。
【００１３】
【発明の実施の形態】
以下、本発明の実施の形態を、添付図面に基づいた実施例として説明する。
図１は本発明（および従来例）による給水装置を備えた冷蔵庫の説明図で、（Ａ）および（Ｂ）は基本構成の一例を示す断面図、（Ｃ）は基本構成の他の例を示す断面図であり、図２は本発明（および従来例）による給水装置を備えた冷蔵庫の説明図で、（Ａ）は（Ｂ）で示すａ矢視図、（Ｂ）は断面図であり、図３は本発明による第一の実施例の給水装置を備えた冷蔵庫の説明図で、（Ａ）は要部断面図、（Ｂ）は（Ａ）で示すＡ部の拡大図であり、図４は本発明による第二の実施例の給水装置を備えた冷蔵庫の説明図で、（Ａ）は要部断面図、（Ｂ）は（Ａ）で示すＡ部の拡大図である。
なお、従来例と同じ部分の符号は同一とする。
【００１４】
図において、１は本発明による自動製氷機の給水装置を備えた冷蔵庫本体、２は同本体１の内部を上下に区画した仕切壁、３は同仕切壁２により区画された冷蔵室、４は野菜室、５は冷凍室、６は前記冷蔵室３に配置された給水装置、８は前記冷凍室５に設けられ、前記給水装置６により給水タンク１２から給水管７を経て製氷用の水が給水される自動製氷機の製氷容器である。
【００１５】
上記に説明した基本構成において、前記給水タンク１２の底部に設けられ、前記製氷容器８に連なる給水孔１７を開閉する開閉弁２１を備えた弁体２２と接離する弁座が使用される自動製氷機の給水装置を備えた冷蔵庫について以下に説明する。
【００１６】
図１（Ａ）および図１（Ｂ）で示すように、前記本体１内が前記仕切壁２により上下に区画されて前記冷凍室５と、前記冷蔵室３と、前記野菜室４等とが設けられ、前記冷蔵室３に配置された自動製氷機の前記給水装置６から前記給水管７を経て前記冷凍室５に配置された前記製氷容器８に給水を行うものにおいて、
前記給水装置６が、図２（Ａ）および図２（Ｂ）と、図３（Ａ）および図３（Ｂ）の第一の実施例とで示すように、上部に設けられた注水口９に通気孔１０を有する蓋体１１を着脱可能に被着した給水タンク１２と、同給水タンク１２の底部に設けられ、中央に保持孔１３を備えて逆略凹状に形成された保持部１４により上下動可能に保持されたロッド１５と、同ロッド１５に装着して保持段部１５ａ  によりこれを下方に付勢する付勢ばね１６と、前記保持部１４の周囲に設けられた前記給水孔１７と、同給水孔１７の外側に立設された円筒状の弁座１８とからなる弁座部１９と、底面中央部に前記ロッド１５に上下動可能に連結される連結孔２０を備え下部を開放して有底略円筒状に形成され、且つその下端周縁部に前記ロッド１５と連動することにより前記弁座１８と接離して前記給水孔１７を開閉する開閉弁２１を備えた合成ゴムのような弾性を有する部材でできた弁体２２と、同弁体２２を前記ロッド１５を介して駆動する駆動部２３とで構成されている。
【００１７】
また、前記給水タンク１２の底面上部に、図２（Ｂ）で示すように、浄水用のフイルタ２４ａを備えた中仕切体２４を着脱可能に設けている。
【００１８】
前記弁座１８を覆う弁受部２６の構造について、第一の実施例を述べる。
図３（Ａ）および図３（Ｂ）で示すように、合成ゴムのような弾性を有する部材、例えば、シリコンゴム等でできた弁受部２６の下端中央に突状をした突部２６ａを形成し、前記弁座１８の前記突部２６ａに対向する位置に、凹部１８ａを形成し、同凹部１８ａに前記突部２６ａを嵌入している。また、前記弁受部２６の上端部２６ｃを、平面状または曲面状に形成している。
【００１９】
次に、前記弁座１８を覆う弁受部２６の第二の実施例の構造について、第一の実施例と異なる点を述べる。
図４（Ａ）および図４（Ｂ）で示すように、前記弁座１８の上端中央に突状をした突部１８ｂを形成し、前記弁受部２６の前記突部１８ｂに対向する位置に、凹部２６ｂを形成し、同凹部２６ｂを前記突部１８ｂに嵌入している。
【００２０】
図３および図４に示したように、前記弁座１８を、前記弁受部２６で覆うように配設したことにより、前記弁座１８に前記開閉弁２１を密接して前記給水孔１７を閉じた時の該箇所における密閉性能を向上させることができて、上記に説明した従来技術のように、前記弁座１８と前記開閉弁２１とに多少の芯ずれが生じた場合や、これら弁座１８と前記開閉弁２１との間に髪の毛等の大きめの固形物が挟まった場合であっても、該箇所から水漏れしてしまうという問題がないにようにした構造となる。
【００２１】
また、前記弁座部１９の外側に立設される円筒状のリブ２７を形成しており、このリブ２７により、髪の毛等の大きめの固形物の侵入の低減を図っている。
【００２２】
なお、前記本体１内が前記仕切壁２により上下に区画されて前記冷凍室５が前記冷蔵室３の上部に設けられた場合には、図１（Ｃ）で示すように、上記に説明した構成でなる前記給水装置６に、前記弁座部１９の給水孔１７を流通した前記給水タンク１２の水を上部に配置された前記製氷容器８に給水するための給水ポンプ２５を付設した構成となり、上記に説明したのと同様に、前記弁受部２６で覆った前記弁座１８に前記開閉弁２１を密接した時に該箇所から水漏れしてしまうという問題がないにようにした構造となる。
【００２３】
以上の構成により、前記弁座１８を、前記弁受部２６で覆うように配設したことにより、前記弁座１８に前記開閉弁２１を密接して前記給水孔１７を閉じた時の該箇所における密閉性能を向上させることができて、上記に説明した従来技術のように、前記弁座１８と前記開閉弁２１とに多少の芯ずれが生じた場合や、これら弁座１８と前記開閉弁２１との間に髪の毛等の大きめの固形物が挟まった場合であっても、前記開閉弁２１と前記弁受部２６で覆った前記弁座１８とで固形物の大きさを吸収でき、該箇所の密閉性能が損なわれて水漏れしてしまうという恐れのある問題をなくすことができる。
【００２４】
【発明の効果】
以上のように本発明によると、給水タンクの底部に設けられ、製氷容器に連なる給水孔を開閉する開閉弁と接離する弁座の密閉性能が損なわれないようにし、水漏れを防止した自動製氷機の給水装置を備えた冷蔵庫となる。
【図面の簡単な説明】
【図１】従来例および本発明による給水装置を備えた冷蔵庫の説明図で、（Ａ）および（Ｂ）は基本構成の一例を示す断面図であり、（Ｃ）は基本構成の他の例を示す断面図である。
【図２】従来例および本発明による給水装置を備えた冷蔵庫の説明図で、（Ａ）は（Ｂ）で示すａ矢視図であり、（Ｂ）は要部断面図である。
【図３】本発明による第一の実施例の給水装置を備えた冷蔵庫の説明図で、（Ａ）は要部断面図であり、（Ｂ）は（Ａ）で示すＡ部の拡大図である。
【図４】本発明による第二の実施例の給水装置を備えた冷蔵庫の説明図で、（Ａ）は要部断面図であり、（Ｂ）は（Ａ）で示すＡ部の拡大図である。
【図５】従来例による給水装置を備えた冷蔵庫の説明図で、（Ａ）は要部断面図であり、（Ｂ）は（Ａ）で示すＡ部の拡大図である。
【符号の説明】
１  冷蔵庫本体
２  仕切壁
３  冷蔵室
４  野菜室
５  冷凍室
６  給水装置
７  給水管
８  製氷容器
９  注水口
１０  通気孔
１１  蓋体
１２  給水タンク
１３  保持孔
１４  保持部
１５  ロッド
１６  付勢ばね
１７  給水孔
１８  弁座
１９  弁座部
２０  連結孔
２１  開閉弁
２２  弁体
２３  駆動部
２４  中仕切体
２５  給水ポンプ
２６  弁受部
２７  リブ
【図１】
2004263950.tif 000003
【図２】
2004263950.tif 000004
【図３】
2004263950.tif 000005
【図４】
2004263950.tif 000006
【図５】
2004263950.tif 000007